(57)【要約】【課題】映像表示装置において、主電源がオンされた直後の起動時においても、異常な映像が表示されることのないようにする。【解決手段】副制御部８から出力された信号によってスイッチング動作することにより、映像音声処理部３２と液晶開閉制御部４との間の映像信号伝送ライン１０を接地するトランジスタ９を設ける。主電源が投入された後１秒間は副制御部８からハイの信号が出力され、トランジスタ９の動作によって映像信号伝送ライン１０が接地され、液晶開閉制御部４に入力される映像信号はローとなり、液晶パネル５からは映像が表示されない。これにより、映像音声処理部３２の起動時に発生するノイズに起因する異常な映像表示を防止する。【選択図】図１
2009258439.tif 000002
【特許請求の範囲】
【請求項１】
複数の液晶素子が配列されて成る液晶パネルと、この液晶パネル内の各液晶素子の開閉動作を制御する液晶開閉制御手段と、この液晶開閉制御手段に映像信号を入力する映像信号処理手段と、前記液晶開閉制御手段と前記映像信号処理手段との間で映像信号を伝送する映像信号伝送ラインと、前記映像信号処理手段に対する電源供給を制御する電源制御手段とを備えた映像表示装置において、
前記電源制御手段から出力される信号に応じてスイッチング動作して、前記映像信号伝送ラインをグランドに接続するスイッチング手段をさらに備え、
装置の主電源が投入された後、前記電源制御手段は、前記映像信号伝送ラインをグランドに接続するための信号を前記スイッチング手段に対して所定時間出力することを特徴とする映像表示装置。
【請求項２】
前記電源制御手段は、装置の主電源が投入されて前記映像信号処理手段が起動する際に、該映像信号処理手段が異常なノイズを発生する可能性がある期間において、前記映像信号伝送ラインをグランドに接続するための信号を前記スイッチング手段に対して出力することを特徴とする請求項１に記載の映像表示装置。
【請求項３】
前記液晶開閉制御手段及び前記映像信号処理手段は、それぞれＬＶＤＳ（Low Voltage Differential Signaling）ポートを有し、前記映像信号伝送ラインは、ＬＶＤＳ信号を伝送することを特徴とする請求項２に記載の映像表示装置。
【発明の詳細な説明】
【技術分野】
【０００１】
本発明は、液晶テレビジョン受像機等に代表される、映像表示部として液晶パネルを使用する映像表示装置に関するものである。
【背景技術】
【０００２】
従来から、電子機器の電源制御に関して、様々な技術が開示されている。例えば、特許文献１には、主制御部によって副制御部の電源を制御するデータバックアップ装置が示されている。また、特許文献２には、ディスプレイが閉じられている状態のときシステムへの電源を遮断し、省電力化を図る携帯用コンピュータが示されている。また、特許文献３には、パスワードの照合結果に応じて電源を制御するパーソナルコンピュータが示されている。
【０００３】
ところで、映像表示部として液晶パネルを使用する液晶テレビジョン受像機においては、液晶パネルを駆動制御する液晶開閉制御部に映像信号を出力する主制御部と、主制御部への電源供給（主電源の供給）を司どる副制御部を備えた構成が、一般的に採用されている。このような受像機の構成を図５に示す。
【０００４】
図５に示すように、従来の液晶テレビジョン受像機１０１は、チューナ１０２、主制御部１０３、液晶開閉制御部１０４、液晶パネル１０５、リモコン装置１０６、赤外線受信部１０７及び副制御部１０８等を有している。チューナ１０２は、放送信号を受信する。主制御部１０３は、チューナ１０２が受信した放送信号を処理して液晶開閉制御部１０４に映像信号を出力する。主制御部１０３は、チューナ１０２が受信した放送信号を復号するデコーダ１３１と、デコーダ１３１が復号した信号から映像信号と音声信号を分離すると共に、種々のデジタル信号処理を行う映像音声処理部１３２とを有している。液晶開閉制御部１０４は、主制御部１０３から入力された映像信号に基づいて液晶パネル１０５に配列されている個々の液晶素子を開閉制御する。液晶パネル１０５は、個々の液晶素子がバックライトから出射された光を透過又は遮蔽することにより映像を表示する。
【０００５】
リモコン装置１０６は、ユーザによって操作され、その操作に応じた赤外線信号を送信する。赤外線受信部１０７は、リモコン装置１０６から送信された赤外線を受信し、それを電気信号に変換し、副制御部１０８に送信する。副制御部１０８は、赤外線受信部１０７から送信された電気信号を主制御部１０３に転送する。既に述べたように、副制御部１０８は、主制御部１０３への電源供給をも司どっているため、主電源の状態に関わらず、常に動作している。なお、映像音声処理部１３２と液晶開閉制御部１０４とは、互いのＬＶＤＳ（Low Voltage Differential Signaling）ポート１３３，１４１を介して接続されている。
【０００６】
【特許文献１】特開昭６３−１８１０１７号公報
【特許文献２】特開平１０−３２００７７号公報
【特許文献３】特開２００３−２７１２５８号公報
【発明の開示】
【発明が解決しようとする課題】
【０００７】
液晶テレビジョン受像機１０１の主電源がオンされた直後においては、主制御部１０３は、自身の起動動作を行うため、そのＣＰＵ内部に電磁波ノイズが発生することがある。従来の液晶テレビジョン受像機１０１にあっては、このような起動時のノイズが発生した場合、ＬＶＤＳポート１３３，１４１を介して液晶開閉制御部１０４にノイズの影響を受けた異常な映像信号が入力されることとなるため、液晶パネル１０５に異常な映像が表示される。この起動時の異常な映像は、上記いずれの特許文献に示された技術を液晶テレビジョン受像機に適用しても抑制することができない。
【０００８】
本発明は、上記課題を解決するためになされたものであり、主電源がオンされた直後の起動時においても、異常な映像が表示されることのない映像表示装置を提供することを目的とする。
【課題を解決するための手段】
【０００９】
上記目的を達成するために請求項１の発明は、
複数の液晶素子が配列されて成る液晶パネルと、この液晶パネル内の各液晶素子の開閉動作を制御する液晶開閉制御手段と、この液晶開閉制御手段に映像信号を入力する映像信号処理手段と、前記液晶開閉制御手段と前記映像信号処理手段との間で映像信号を伝送する映像信号伝送ラインと、前記映像信号処理手段に対する電源供給を制御する電源制御手段とを備えた映像表示装置において、
前記電源制御手段から出力される信号に応じてスイッチング動作して、前記映像信号伝送ラインをグランドに接続するスイッチング手段をさらに備え、
装置の主電源が投入された後、前記電源制御手段は、前記映像信号伝送ラインをグランドに接続するための信号を前記スイッチング手段に対して所定時間出力するものである。
【００１０】
請求項２の発明は、請求項１に記載の映像表示装置において、
前記電源制御手段は、装置の主電源が投入されて前記映像信号処理手段が起動する際に、該映像信号処理手段が異常なノイズを発生する可能性がある期間において、前記映像信号伝送ラインをグランドに接続するための信号を前記スイッチング手段に対して出力するものである。
【００１１】
請求項３の発明は、請求項２に記載の映像表示装置において、
前記液晶開閉制御手段及び前記映像信号処理手段は、それぞれＬＶＤＳ（Low Voltage Differential Signaling）ポートを有し、前記映像信号伝送ラインは、ＬＶＤＳ信号を伝送するものである。
【発明の効果】
【００１２】
請求項１の発明によれば、装置の主電源が投入された後、電源制御手段から出力された信号によって、所定時間スイッチング手段が動作して映像信号伝送ラインを接地させるので、その期間、液晶開閉制御部に異常な映像信号が入力されることがない。従って、その期間中は、液晶素子は遮光状態となり、液晶パネルから異常な映像が表示される虞がなくなる。その結果、ユーザに不快感を与えることがなくなり、映像表示装置の商品価値を高めることができる。
【００１３】
請求項２の発明によれば、映像信号処理手段が異常なノイズを発生する可能性がある期間において、電源制御手段が映像信号伝送ラインを接地させるための信号をスイッチング手段に対して出力するので、その期間中は、液晶素子を遮光状態とすることができ、液晶パネルから異常な映像表示を防止することができる。また、映像信号処理手段が異常なノイズを発生する期間を経過した後は、液晶パネルから映像が表示されるので、ユーザの使い勝手に悪影響を及すことがない。
【００１４】
請求項３の発明によれば、映像信号伝送ラインは、ＬＶＤＳにより映像信号を伝送するので、映像表示装置の電力消費を抑制できると共に、ノイズによる液晶パネルの異常表示をより一層効果的に抑制することができる。
【発明を実施するための最良の形態】
【００１５】
本発明を実施するための一実施形態について図面を参照して説明する。図１は映像表示装置の代表的な実施形態であるテレビジョン受像機の内部構成を示している。テレビジョン受像機１は、放送信号を受信するチューナ２と、チューナ２が受信した放送信号を処理する主制御部３と、主制御部３から出力された映像信号に基づいて液晶パネル内の液晶素子を開閉制御する液晶開閉制御部（液晶開閉制御手段）４と、映像を表示するための液晶パネル５と、ユーザによって操作されるリモコン装置６と、リモコン装置６から送信される赤外線を受信する赤外線受信部７と、赤外線受信部７から送信された電気信号を主制御部３に転送する副制御部（電源制御手段）８と、副制御部８から出力された信号に応じてスイッチング動作するトランジスタ（スイッチング手段）９等を有している。
【００１６】
チューナ２は、符号化された後放送局から送信されたデジタル放送信号を受信する。主制御部３は、チューナ２が受信した放送信号を復号するデコーダ３１と、デコーダ３１が復号した信号から映像信号と音声信号を分離すると共に、種々のデジタル信号処理を行う映像音声処理部（映像信号処理手段）３２とを有している。映像音声処理部３２及び液晶開閉制御部４は、それぞれＬＶＤＳポート３３及び４１を有し、映像信号伝送ライン１０によってＬＶＤＳポート３３とＬＶＤＳポート４１が接続されている。すなわち、映像音声処理部３２から液晶開閉制御部４に対して、映像信号伝送ライン１０を介してＬＶＤＳ信号が伝送される。液晶パネル５は、複数の液晶素子が配列されて成り、個々の液晶素子がバックライトから出射された光を透過又は遮蔽することにより画像を表示する。液晶素子が開閉動作するための電圧は、液晶開閉制御部４から印加される。
【００１７】
リモコン装置６は、ユーザによって操作され、その操作に応じた赤外線信号を送信する。赤外線受信部７は、リモコン装置６から送信された赤外線を受信し、それを電気信号に変換し、副制御部８に送信する。副制御部８は、主制御部３への電源供給をも司どっているため、主電源の状態に関わらず、常に動作している。トランジスタ９のベースは副制御部８に、コレクタは映像信号伝送ライン１０にそれぞれ接続されており、エミッタは接地されている。トランジスタ９は、副制御部８から出力された信号に応じてスイッチング動作することにより、必要に応じて映像信号伝送ライン１０をグランドに落とす。
【００１８】
図２は、リモコン装置６を介してテレビジョン受像機１の主電源が投入された直後における副制御部８から主制御部３に出力される信号を示している。また、図３は、同主電源が投入された直後における副制御部８からトランジスタ９のベースに出力される信号を示している。また、図４は、同主電源が投入された直後における映像信号伝送ライン１０を伝送される映像信号を示している。それぞれ横軸の時間が０秒のとき、主電源が投入されたものとする。
【００１９】
テレビジョン受像機１の主電源が投入されると、図２に示すように、副制御部８から主制御部３にハイの信号が出力される。この信号を受けた主制御部３は、自身の起動動作を開始する。既に述べたように、この起動動作において主制御部３の内部ＣＰＵは、その周辺に電磁波ノイズを放出することがある。このノイズが映像信号伝送ライン１０に混入した場合、液晶開閉制御部４に正常な映像信号が伝送されなくなり、液晶パネル５の表示に異常を来す虞が生ずる。そこで、本テレビジョン受像機１においては、主制御部３の内部ＣＰＵ等の回路が自身の起動動作を実行している期間にあっては、トランジスタ９のスイッチング動作によって映像信号伝送ライン１０を接地させる機能を有している。
【００２０】
より具体的には、図３に示すように、テレビジョン受像機１の主電源が投入された後、例えば１秒の時間が経過するまでは、副制御部８からトランジスタ９のベースにハイの信号が出力される。これに伴いトランジスタ９がスイッチング動作して、映像音声処理部３２からの出力信号に関わらず映像信号伝送ライン１０がグランドに落とされる。その結果、図４に示すように、テレビジョン受像機１の主電源が投入された後、１秒の時間が経過するまでは、映像信号伝送ライン１０を伝送される映像信号はローとなり、この期間は、液晶パネル５のすべての液晶素子は遮光状態となることから、液晶パネル５から異常な映像が表示される虞は完全になくなる。
【００２１】
テレビジョン受像機１の主電源が投入された後、１秒の時間が経過した後は、副制御部８からトランジスタ９のベースにローの信号が出力される。これに伴い映像信号伝送ライン１０とグランドとの接続が解除される。従って、液晶パネル５の液晶素子は、映像音声処理部３２から出力された映像信号に基づいて、液晶開閉制御部４によって開閉制御され、液晶パネル５から映像が表示される。なお、上記副制御部８からトランジスタ９のベースにハイの信号が出力される期間は、１秒に限られることなく、主電源が投入された後、主制御部３の内部ＣＰＵ等が起動する際に発生する異常なノイズが液晶素子の動作に影響を及さない程度まで収まるのに十分な期間であればよく、内部ＣＰＵ等の仕様や起動時の処理内容によって異なる。また、主電源が投入された後の上記期間、液晶パネル５のバックライトを点灯しないように構成してもよい。この場合は、例えば、副制御部８から出力される信号に応じてバックライトの駆動回路を制御するように構成すればよい。
【００２２】
以上のように、本実施形態のテレビジョン受像機１によれば、主電源が投入された後、副制御部８から出力された信号によって、トランジスタ９が動作して映像信号伝送ライン１０を接地させるので、その期間、液晶開閉制御部４に異常な映像信号が入力されることがない。従って、その期間中は、液晶素子は遮光状態となり、液晶パネル５から異常な映像が表示される虞がなくなる。その結果、ユーザに不快感を与えることがなくなり、テレビジョン受像機１の商品価値を高めることができる。また、映像音声処理部３２が異常なノイズを発生する期間において、副制御部８が映像信号伝送ライン１０を接地させるための信号をトランジスタ９に対して出力するので、その期間中は、液晶素子を遮光状態とすることができ、液晶パネル５から異常な映像表示を防止することができる。また、映像音声処理部３２が異常なノイズを発生する期間を経過した後は、液晶パネル５から映像が表示されるので、ユーザの使い勝手に悪影響を及すことがない。さらに、映像信号伝送ライン１０は、ＬＶＤＳにより映像信号を伝送するので、テレビジョン受像機１の電力消費を抑制できると共に、ノイズによる液晶パネル５の異常表示をより一層効果的に抑制することができる。
【００２３】
なお、本発明は上記実施形態の構成に限られることなく、少なくとも、副制御部８から出力された信号に応じてスイッチング動作することにより、映像信号伝送ライン１０をグランドに接続するトランジスタ９やＦＥＴ（Field effect transistor）等のスイッチング手段を備えていればよい。また、本発明は、テレビジョン受像機に限られることなく、液晶パネルやＰＤＰ（Plasma Display Panel）等を用いた映像表示装置にも広く適用することができる。
【図面の簡単な説明】
【００２４】
【図１】本発明の実施形態によるテレビジョン受像機の構成を示す図。
【図２】テレビジョン受像機の主電源が投入された直後における副制御部から主制御部に出力される信号を示す図。
【図３】同主電源が投入された直後における副制御部からトランジスタのベースに出力される信号を示す図。
【図４】同主電源が投入された直後における映像信号伝送ラインを伝送される映像信号を示す図。
【図５】従来のテレビジョン受像機の構成を示す図。
【符号の説明】
【００２５】
１    テレビジョン受像機
４    液晶開閉制御部（液晶開閉制御手段）
５    液晶パネル
８    副制御部（電源制御手段）
９    トランジスタ（スイッチング手段）
１０    映像信号伝送ライン
３２    映像音声処理部（映像処理手段）
３３，４１    ＬＶＤＳポート
【図１】
2009258439.tif 000003
【図２】
2009258439.tif 000004
【図３】
2009258439.tif 000005
【図４】
2009258439.tif 000006
【図５】
2009258439.tif 000007